(57)【要約】【課題】  長い支持スパンの床を設ける際に、床根太の材積を大幅に増加させることなく、且つ下階の天井高さを確保しつつ、リバウンド現象が抑制された床を効率良く設けることを可能にする床根太の取付け構造を提供する。【解決手段】  枠組壁工法による住宅建築物において、下階の壁部材１２に両端を支持させた状態で架設されて上階の床部材１３を受ける床根太１０を、複数平行に取り付ける際に採用される床根太の取付け構造であって、床根太は、高さの高い中央根太１５の両側に高さの低い側面根太１６を天端面を揃えて重ね合わせた複合材１７によって構成され、且つ中央根太１５は、その両端部において当該中央根太１５の底面の高さが側面根太１６の底面の高さと揃うように下端部分１５ａが切欠き部１８として切り欠かれてており、側面根太１６と共に下階の壁部材１２の上端面に載置される。【選択図】      図１
2006112077.tif 000002
【特許請求の範囲】
【請求項１】
枠組壁工法による住宅建築物において、下階の壁部材に両端を支持させた状態で架設されて上階の床部材を受ける床根太を、複数平行に取り付ける際に採用される床根太の取付け構造であって、
前記床根太は、高さの高い中央根太の両側に高さの低い側面根太を、天端面を揃えて重ね合わせた複合材によって構成され、
且つ前記中央根太は、その両端部において当該中央根太の底面の高さが前記側面根太の底面の高さと揃うように下端部分が切り欠かれており、前記側面根太と共に前記下階の壁部材の上端面に載置される床根太の取付け構造。
【請求項２】
前記中央根太と前記側面根太とは、前記側面根太の側面から釘又はビスを打ち込むことによって一体化される請求項１に記載の床根太の取付け構造。
【請求項３】
中央根太と側面根太との重ね合わせ接合面に粘性シートが挟み込まれる請求項１又は２に記載の床根太の取付け構造。
【請求項４】
隣接する前記中央根太の間には、前記側面根太の下面に接合されて、下階の天井部材が前記中央根太の下端部分を下方に突出させた状態で取り付けられる請求項１〜３のいずれかに記載の床根太の取付け構造。
【請求項５】
前記枠組壁工法による住宅建築物は、ユニット住宅である請求項１〜４のいずれかに記載の床根太の取付け構造。
【請求項６】
前記中央根太は幅３８ｍｍ、高さ３３７ｍｍの矩形断面形状を備え、前記側面根太は幅３８ｍｍ、高さ２３５ｍｍの矩形断面形状を備える請求項１〜５のいずれかに記載の床根太の取付け構造。
【発明の詳細な説明】
【技術分野】
【０００１】
本発明は、枠組壁工法による住宅建築物において、下階の壁部材に両端を支持させた状態で架設されて上階の床部材を受ける床根太を、複数平行に取り付ける際に採用される床根太の取付け構造に関する。
【背景技術】
【０００２】
枠組壁工法による住宅建築物においては、特にユニット住宅の場合、上階の床部材を受ける床根太を、直下階の壁部材の上に直接乗せる構造が採用されることが多い（例えば、特許文献１参照）。このような構造では、床根太の下端に下階の天井部材を直接張ることが可能になって合理的である。また、床根太を支持する壁部材は同一の高さ寸法で製作されるのが一般的であるため、床根太は、支持スパン（根太が架設される両側の壁部材の心々間の距離）の長短を問わずに、例えば幅３８ｍｍ、高さ２３５ｍｍ程度の断面の同一のせい（高さ）のものが用いられている。
【０００３】
一方、近年の住宅需要の多様化によって、大きな居室空間を備える住宅建築物が要望されており、このような大きな居室空間を形成するには、例えば４．５ｍを越える長い支持スパンで床根太を架設する必要を生じる場合がある。このような長い支持スパンの床を形成する際には、床根太のせいを保持したまま床根太による曲げ強度やたわみ剛性を大きくするために、床根太の配設ピッチを狭くしてこれの枚数を増やしたり、床根太自体のヤング係数が大きくなるようにその断面積を増やした取付け構造が採用されていた。
【特許文献１】特開平９−２５６４７２号公報
【発明の開示】
【発明が解決しようとする課題】
【０００４】
しかしながら、床根太の枚数を増やすだけでは効率的な設計とはいえず、また床根太の断面積を増やして例えば５．５ｍの支持スパンで幅１１４ｍｍ、高さ２３５ｍｍ（３８ｍｍ×２３５ｍｍの３枚合わせ）の断面の床根太を用いる場合は、床上を歩く際に床根太のたわみによるリバウンド現象が生じ易くなって歩行感が悪くなる。歩行感を改善するためには、床根太のたわみを減少させるべく床根太の断面積をさらに増加する必要があり、例えば５．５ｍの支持スパンで幅１９０ｍｍ、高さ２３５ｍｍ（３８ｍｍ×２３５ｍｍの５枚合わせ）の断面の床根太を用いることになって床根太の材積が大幅に増加することになる。すなわち、支持スパンが４．５ｍを越える床の場合、床面積あたりの床根太の材積は急激に増えることになって、例えば支持スパンが４．５ｍ以下の床における床根太の材積の２．５倍以上の材積を必要としていた。
【０００５】
また、例えば４．５ｍを越える長い支持スパンの床を支持する床根太の材積を減らすために、床根太のせいを高くして、例えば幅１９０ｍｍ、高さ２３５ｍｍの断面と等価の断面となるように、例えば幅８９ｍｍ、高さ３００ｍｍの断面の床根太を用いることも考えられるが、上階の床高さを同じにするには、下階の天井高さが例えば６５ｍｍ程度低くなって所望の大きさの居室空間を確保し難くなる。
【０００６】
本発明は、特に４．５ｍを越える支持スパンの床を設ける際に、床根太の材積を大幅に増加させることなく、且つ下階の天井高さを確保しつつ、リバウンド現象が抑制された床を効率良く設けることを可能にする床根太の取付け構造を提供することを目的とする。
【課題を解決するための手段】
【０００７】
本発明は、枠組壁工法による住宅建築物において、下階の壁部材に両端を支持させた状態で架設されて上階の床部材を受ける床根太を、複数平行に取り付ける際に採用される床根太の取付け構造であって、前記床根太は、高さの高い中央根太の両側に高さの低い側面根太を、天端面を揃えて重ね合わせた複合材によって構成され、且つ前記中央根太は、その両端部において当該中央根太の底面の高さが前記側面根太の底面の高さと揃うように下端部分が切り欠かれており、前記側面根太と共に前記下階の壁部材の上端面に載置される床根太の取付け構造を提供することにより、上記目的を達成したものである。
【０００８】
そして、本発明の床根太の取付け構造は、前記中央根太と前記側面根太とは、前記側面根太の側面から釘又はビスを打ち込むことによって一体化されていることが好ましい。
【０００９】
また、本発明の床根太の取付け構造は、中央根太と側面根太との重ね合わせ接合面に粘性シートが挟み込まれていることが好ましい。
【００１０】
さらに、本発明の床根太の取付け構造は、隣接する前記中央根太の間には、前記側面根太の下面に接合されて、下階の天井部材が前記中央根太の下端部分を下方に突出させた状態で取り付けられていることが好ましい。
【００１１】
さらにまた、本発明の床根太の取付け構造は、前記枠組壁工法による住宅建築物がユニット住宅であることが好ましい。
【００１２】
また、本発明の床根太の取付け構造は、前記中央根太が幅３８ｍｍ、高さ３３７ｍｍの矩形断面形状を備えており、前記側面根太が幅３８ｍｍ、高さ２３５ｍｍの矩形断面形状を備えていることが好ましい。
【発明の効果】
【００１３】
本発明の床根太の取付け構造によれば、特に４．５ｍを越える支持スパンの床を設ける際に、床根太の材積を大幅に増加させることなく、且つ下階の天井高さを確保しつつ、リバウンド現象が抑制された床を効率良く設けることができる。
【発明を実施するための最良の形態】
【００１４】
図１〜図４に示す本発明の好ましい一実施形態に係る床根太の取付け構造は、例えば２階建ての住宅建築物として、枠組壁工法（ツーバイフォー工法）によるユニット住宅を形成する際に、天井面を開放した状態で組立設置された３体の１階住宅ユニット１１による１階居室部の周囲の壁部材１２に支持させて、２階の床部材１３を受ける床根太１０を、３体の２階住宅ユニット１４の一部として当該２階住宅ユニット１４と共に設置することによって構成されるものである。
【００１５】
すなわち、本実施形態の床根太の取付け構造は、枠組壁工法による住宅建築物において、１階（下階）の壁部材１２に両端を支持させた状態で架設されて２階（上階）の床部材１３を受ける床根太１０を、複数平行に取り付ける際に採用される取付け構造であって、床根太１０は、高さの高い中央根太１５の両側に高さの低い側面根太１６を、天端面を揃えて重ね合わせた複合材１７によって構成され、且つ中央根太１５は、その両端部において当該中央根太１５の底面の高さが側面根太１６の底面の高さと揃うように下端部分１５ａが切欠き部１８として切り欠かれており（図３（ａ）参照）、側面根太１６と共に１階の壁部材１２の上端面に載置されるようになっている。
【００１６】
また、本実施形態によれば、隣接する中央根太１５の間には、側面根太１６の下面に接合されて、１階の天井部材１９が中央根太１５の下端部分１５ａを下方に突出させた状態で取り付けられている。
【００１７】
本実施形態によれば、住宅建築物は、枠組壁工法によるユニット住宅であって、予め工場等において製作された複数の住宅ユニット１１，１４を、建築施工現場において組付けて接合一体化することにより形成されるものである。各１階住宅ユニット１１は、土台（図示せず）、床根太（図示せず）、床部材３４等からなる床パネル２０の周縁部分から、下枠２１、縦枠２２、上枠２３、壁用面材２４等からなる壁パネルを壁部材１２として立設配置して所定の形状に組み付けたものであり、３体の１階住宅ユニット１１が一体となって、４方が壁部材１２によって囲まれた、２階の床パネル２５による床の支持スパンが例えば５．５ｍとなった大きな空間の１階居室部が形成されることになる。
【００１８】
また、各２階住宅ユニット１４は、床根太１０、床部材１３、天井部材１９等からなる床パネル２５の周縁部分から、下枠２６、縦枠２７、上枠（図示せず）、壁用面材２８等からなる壁パネルを壁部材２９として立設配置して所定の形状に組み付けたものであり（図４（ａ），（ｂ）参照）、これらの３体の２階住宅ユニット１４によって２階居室部が形成される。各２階住宅ユニット１４は、住宅建築物の施工現場において吊り上げられ、複数平行に配置されて床パネル２５を構成する床根太１０を、こらの両端を１階の壁部材１２に支持させた状態で架設して、本実施形態の床根太の取付け構造を形成しつつ、１階住宅ユニット１１の上方に一体として取り付けられることになる。
【００１９】
そして、本実施形態によれば、１階の壁部材１２に両端を支持させた状態で架設される床根太１０は、図２に示すように、各々、高さの高い中央根太１５の両側に高さの低い側面根太１６を天端面を揃えて重ね合わせた複合材１７からなるものであり、中央根太１５としては、好ましくはツーバイフォー工法用の所定の規格の木製部材を用いることができ、例えば幅３８ｍｍ、高さ３３７ｍｍの矩形断面形状を備えている。また側面根太１６としては、好ましくはツーバイフォー工法用の所定の規格の木製部材を用いることができ、例えば幅３８ｍｍ、高さ２３５ｍｍの矩形断面形状を備えている。
【００２０】
これらの中央根太１５及び一対の側面根太１６は、天端面を揃えて重ね合わせた状態で、側面根太１６の側面から中央根太１５に向けて、例えば釘３０を予め設計された所定ピッチで所定本数打ち込むことにより、接合面に適度な摩擦力を保持した状態で、容易且つ強固に接合一体化されることになる。これによって、床根太１０は、中央根太１５及び一対の側面根太１６が一体となった幅１１４ｍｍ、高さ２３５ｍｍの上部矩形断面形状部分１０ａの下面中央から、下方に向けて幅３８ｍｍ、高さ１０２ｍｍの矩形断面形状の中央根太１５の下端部分１５ａが突出する、例えば５枚合わせによる幅１９０ｍｍ、高さ２３５ｍｍの矩形形状の断面と等価の断面形状を、３枚合わせによって備えることになる。
【００２１】
また、本実施形態によれば、床根太１０は、５．５ｍの支持スパン（床根太１０が架設される両側の壁部材１２の心々間の距離）に架設することが可能な、例えば５５００ｍｍ程度の長さを備えていると共に、その端面から１３５ｍｍ程度の長さ領域を両端部として、中央根太１５の下端部分１５ａを側面根太１６の底面の高さと揃うように切り欠くことにより、切欠き部１８が形成されている（図３（ａ）参照）。これによって、中央根太１５の端部を側面根太１６と共に壁部材１２の上端面に載置することが可能になり、床根太１０を安定した状態で架設することが可能になる。
【００２２】
なお、本実施形態によれば、壁部材１２への載置部分における中央根太１５の下端面と側面根太１６の下端面を横断するように連続して覆って、基盤プレート片３１が取り付けられており、この基盤プレート片３１を介在させることにより、壁部材１２を構成する頭つなぎ３２の上面に、床根太１０の端部をさらに安定した状態で載置することが可能になる。また、切欠き部１８が形成された中央根太１５の下端部分１５ａの端面を覆って保護プレート片３３が取り付けられており、この保護プレート片３２によって、２階住宅ユニット１４の床根太１０を１階住宅ユニット１１の壁部材１２に架設する作業を行う際に、壁部材１２を傷つけるのを効果的に回避できると共に、２階住宅ユニット１４の位置決めをスムーズに行うことが可能になる。さらに、中央根太１５の下方に突出する下端部分１５ａの端部の納まりを、見栄え良くすることが可能になる。
【００２３】
ここで、図３（ｂ）及び図４（ｂ）に示すように、床根太１０の両端を１階住宅ユニット１１の壁部材１２に支持させて架設することにより、中央根太１５の下端部分１５ａは壁部材１２の上端よりも下方に突出することになるが、本実施形態によれば、１階居室部の天井部材１９を、側面根太１６の下面を天井下地として隣接する中央根太１５の間に取り付けることにより、壁部材１２の上端と略同じ高さに天井部材１９を配置して天井高を高く感じさせることが可能になる。また、側面根太１６の下面に支持させて天井部材１９を取り付けることにより、中央根太１５の下端部分１５ａは天井部材１９から下方に突出して天井面に現れることになるが、単に平坦な天井面とは異なり、所定のピッチで互いに平行に延設する複数の中央根太１５の下端部分１５ａの存在によって、図１に示すように、居住者に対して規則性のある構造物の形態を単純且つ明快に表現することが可能になり、１階居室部の天井部分の美観や意匠性を向上させることが可能になる。
【００２４】
そして、本実施形態の床根太の取付け構造によれば、５．５ｍの長い支持スパンの床を床パネル２５によって設ける際に、床根太１０の材積を大幅に増加させることなく、且つ１階の天井高さを確保しつつ、リバウンド現象が抑制された床を効率良く設けることができる。すなわち、本実施形態によれば、床根太１０は、高さの高い中央根太１５の両側に高さの低い側面根太１６を天端面を揃えて重ね合わせ、例えば釘３０を打ち込むことにより一体化した複合材１７によって構成され、中央根太１５の両端部の切欠き部１８を側面根太１６の両端部と共に１階の壁部材１２の上端面に載置することによって取付け構造が形成されており、床根太１０の断面性能は、完全に一体化した梁としての断面性能ではなく、中央根太１５及び一対の側面根太１６の個々の断面を足し合わせた断面性能となる。
【００２５】
したがって、このような床根太１０による取付け構造が外力を受けて変形する際に、せいの高い中央根太１５とせいの低い側面根太１６は、それぞれ個々に変形することになると共に、これらは中立軸の高さがずれているため、根太１５，１６の接合面におけるどの位置においても根太１５，１６の歪み度が異なることになり、この結果、根太１５，１６の接合面には摩擦力が生じることになると共に、この摩擦力によって根太１５，１６は振動を起こし難くなる。簡単にいえば、振動周期の異なる中央根太１５と側面根太１６を重ね合わせることにより、振動し難くさせることが可能になる。また、根太１５，１６の接合面には摩擦力が生じることにより、振動が生じてもこれを減衰させやすくすることが可能になる。さらに、これらの複合的な効果によって、長い支持スパンの床根太１０の取付け構造におけるリバウンド現象の発生を効果的に抑制することが可能になり、また床根太１０の材積の増加を軽減することが可能になる。
【００２６】
なお、本発明は上記実施形態に限定されることなく種々の変更が可能である。例えば、本発明はユニット住宅に限定されることなく、枠組壁工法によるその他の住宅建築物に適用することが可能であり、３階建て以上の住宅建築物において、下階の壁部材に上階の床部材を受ける床根太を設置する際に採用することもできる。また、床根太を構成する中央根太や側面根太として、ツーバイフォー工法用の所定の規格の木製部材を用いる必要は必ずしもなく、その他の矩形断面形状を備える木製部材を用いることもでき、中央根太と側面根太を接合一体化する手段としては、釘を打ち込む方法の他、ビスを打ち込む方法や、中央根太と側面根太の個々の変形によるすべりを許容できるその他の種々の接合方法を採用することもできる。ここで、中央根太と側面根太を接合一体化する際に、これらの接合面に粘性シート挟み込んだ上で釘やビス等を打ち込むようにすることもでき、これによって振動やリバウンド現象をさらに効果的に抑制することが可能になる。粘性シーとしては、例えばブチルゴム、クロロプレンゴム、シリコーンゲル等からなる公知の各種の粘性シートを用いることができ、やわらかく、変形後に元の形状に戻るのに時間がかかる素材であれば、振動を抑制するのに適している。さらに、本発明の取付け構造は、４．５ｍを越える長い支持スパンの床を設けるための床根太に限定されることなく、例えば下階の居室空間における天井面の意匠性を向上させるべく、４．５ｍ以下の一般の長さの支持スパンの床を設けるための床根太に対して採用することもできる。
【図面の簡単な説明】
【００２７】
【図１】本発明の一実施形態に係る床根太の取付け構造を採用したユニット住宅の要部を、手前側の壁部材を省略して示す略示斜視図である。
【図２】床根太の構成を説明する断面図である。
【図３】本発明の一実施形態に係る床根太の取付け構造を介して、下階の住宅ユニットの上方に上階の住宅ユニットを取り付ける状況を説明する、（ａ）は据え付ける直前の側面図、（ｂ）は据え付け後の側面図である。
【図４】本発明の一実施形態に係る床根太の取付け構造を介して、下階の住宅ユニットの上方に上階の住宅ユニットを取り付ける状況を説明する、（ａ）は据え付ける直前の正面図、（ｂ）は据え付け後の正面図である。
【符号の説明】
【００２８】
１０  床根太
１１  １階住宅ユニット
１２  １階（下階）の壁部材
１３  ２階（上階）の床部材
１４  ２階住宅ユニット
１５  中央根太
１５ａ  中央根太の下端部分
１６  側面根太
１７  複合材
１８  切欠き部
１９  天井部材
２０  床パネル
２１，２６  下枠
２２，２７  縦枠
２３  上枠
２４，２８  壁用面材
２９  （上階の）壁部材
３０  釘
３１  基盤プレート片
３２  頭つなぎ
３３  保護プレート片
【図１】
2006112077.tif 000003
【図２】
2006112077.tif 000004
【図３】
2006112077.tif 000005
【図４】
2006112077.tif 000006